(57)【要約】【課題】身体の様々な箇所に対してマッサージを施すことが可能であるとともに、携帯に適したマッサージ器を提供すること。【解決手段】弾性屈曲変形容易である可撓部１と、可撓部１を挟んで配置された１対の把持部２と、可撓部１の長手方向中央部を挟んで離間配置された１対の押圧部３と、を備えたマッサージ器Ａ１であって、１対の把持部２は、可撓部１に対して着脱可能とされている。【選択図】  図１
0003117992.tif 000002
【実用新案登録請求の範囲】
【請求項１】
弾性屈曲変形容易である可撓部と、
上記可撓部を挟んで配置された１対の把持部と、
上記可撓部の長手方向中央部を挟んで離間配置された１対の押圧部と、
を備えたマッサージ器であって、
上記１対の把持部は、上記可撓部に対して着脱可能とされていることを特徴とする、マッサージ器。
【請求項２】
上記１対の押圧部は、上記１対の把持部によって支持されており、
上記１対の把持部は、上記可撓部の長手方向において複数の位置に取り付け可能とされている、請求項１に記載のマッサージ器。
【請求項３】
上記可撓部の両端寄り部分または上記各把持部の一端寄り部分の一方には、長手方向に配列された複数の孔が形成されており、
上記可撓部の両端寄り部分または上記各把持部の一端寄り部分の他方には、上記各孔に挿通可能とされた短軸が形成されている、請求項２に記載のマッサージ器。
【請求項４】
上記短軸には、雄ねじが形成されており、
上記雄ねじに螺合可能であり、かつ上記可撓部と上記１対の把持部とを結合させるための１対のナットをさらに備えている、請求項３に記載のマッサージ器。
【請求項５】
上記複数の孔は、一定ピッチで配列されており、
上記可撓部または上記各把持部のうち上記短軸が形成されたものには、上記短軸と長手方向において上記一定ピッチを隔てて配置された追加の短軸をさらに備えている、請求項３または４に記載のマッサージ器。
【請求項６】
上記可撓部または上記各把持部のうち上記複数の孔が形成されたものには、その一端に上記複数の孔と上記一定ピッチを隔てて配置された切り欠き部が形成されている、請求項５に記載のマッサージ器。
【請求項７】
上記各押圧部には、雌ねじが形成されており、
上記各把持部には、上記雌ねじに螺合可能な雄ねじが形成された押圧部固定軸が形成されている、請求項１ないし６に記載のマッサージ器。
【請求項８】
上記各押圧部には、雌ねじが形成されており、
上記各把持部には、上記雌ねじに螺合可能な雄ねじが形成された押圧部固定軸が形成されており、
上記押圧部固定軸の上記雄ねじと、上記短軸の雄ねじとは、同一のサイズとされている、請求項４に記載のマッサージ器。
【請求項９】
上記１対のナットは、突起をそれぞれ有することにより、追加の１対の押圧部とされている、請求項８に記載のマッサージ器。
【請求項１０】
上記１対の把持部には、上記可撓部に連結された状態において上記マッサージ器の両端となる部分に突起が形成されている、請求項１ないし９のいずれかに記載のマッサージ器。
【考案の詳細な説明】
【技術分野】
【０００１】
本考案は、身体の各部を揉みほぐすためのマッサージ器に関する。
【背景技術】
【０００２】
一般にハリなどと呼ばれる違和感や疲労感を感じる身体部分を揉みほぐすために、使用者が自分自身にマッサージを施すマッサージ器が用いられている。図１２は、従来のマッサージ器の一例を示している。同図に示されたマッサージ器Ｘは、１対の把持部９１、可撓部９２、１対の押圧部９３、および引き紐９４を備えている。マッサージ器Ｘを使用するときには、使用者は、両手で１対の把持部９１を握る。そして、１対の押圧部９３を、たとえば首筋の両側に添えた状態で、１対の把持部９１を互いに接近させるように可撓部９２を曲げる。すると、１対の押圧部９３が首筋に押圧される。これにより、首筋を揉みほぐすことができる。使用者は、首筋に感じたハリが緩和されるまで、適宜マッサージ器Ｘを曲げる動作を行う。これにより、使用者は、ハリを感じる部分を快適な状態とすることができる。また、引き紐９４を用いれば、１対の把持部９１を握った姿勢ではマッサージすることが難しい身体部分に対してマッサージを適切に行うことができる。
【０００３】
しかしながら、マッサージを施したい身体部分には、様々な箇所があり、それぞれの箇所の大きさ、形状などが異なる。マッサージ器Ｘにおいては、１対の押圧部９３間の距離が一定であるため、大きさや形状などが異なる複数の箇所に対して適切にマッサージすることが困難な場合があった。また、マッサージ器Ｘは、伸ばした状態において比較的長い器具である。このような器具をたとえば旅先に携帯しようとすると、小型の旅行バッグには収容できない。このため、旅行への携帯などに適した、持ち歩き容易なマッサージ器が望まれていた。
【０００４】
【特許文献１】特開平９−２４０７８号公報。
【考案の開示】
【考案が解決しようとする課題】
【０００５】
本考案は、上記した事情のもとで考え出されたものであって、身体の様々な箇所に対してマッサージを施すことが可能であるとともに、携帯に適したマッサージ器を提供することをその課題としている。
【課題を解決するための手段】
【０００６】
上記課題を解決するため、本考案では、次の技術的手段を講じている。
【０００７】
本考案によって提供されるマッサージ器は、弾性屈曲変形容易である可撓部と、上記可撓部を挟んで配置された１対の把持部と、上記可撓部の長手方向中央部を挟んで離間配置された１対の押圧部と、を備えたマッサージ器であって、上記１対の把持部は、上記可撓部に対して着脱可能とされていることを特徴としている。
【０００８】
このような構成によれば、使用時には、上記可撓部と上記１対の把持部とを結合させることにより適切にマッサージ可能である一方、収納時または運搬時には、上記可撓部と上記１対の把持部とに分割することが可能である。これにより、上記マッサージ器は、旅行などに携帯するのに適している。
【０００９】
本考案の好ましい実施の形態においては、上記１対の押圧部は、上記１対の把持部によって支持されており、上記１対の把持部は、上記可撓部の長手方向において複数の位置に取り付け可能とされている。このような構成によれば、マッサージを施す身体箇所の大きさや形状に応じて、上記１対の押圧部間の距離を適宜変更することが可能である。したがて、身体の様々な箇所に対してマッサージを施すのに好ましい。
【００１０】
本考案の好ましい実施の形態においては、上記可撓部の両端寄り部分または上記各把持部の一端寄り部分の一方には、長手方向に配列された複数の孔が形成されており、上記可撓部の両端寄り部分または上記各把持部の一端寄り部分の他方には、上記各孔に挿通可能とされた短軸が形成されている。このような構成によれば、上記１対の把持部を上記可撓部に対して複数の位置に適切に取り付けることができる。
【００１１】
本考案の好ましい実施の形態においては、上記短軸には、雄ねじが形成されており、上記雄ねじに螺合可能であり、かつ上記可撓部と上記１対の把持部とを結合させるための１対のナットをさらに備えている。このような構成によれば、上記可撓部と上記１対の把持部とを確実に結合させることができる。
【００１２】
本考案の好ましい実施の形態においては、上記複数の孔は、一定ピッチで配列されており、上記可撓部または上記各把持部のうち上記短軸が形成されたものには、上記短軸と長手方向において上記一定ピッチを隔てて配置された追加の短軸をさらに備えている。このような構成によれば、上記１対の把持部が上記可撓部に対して不当に回転してしまうことを防止可能である。したがって、所望の身体部分に対して比較的強い力でマッサージを施すことができる。
【００１３】
本考案の好ましい実施の形態においては、上記可撓部または上記各把持部のうち上記複数の孔が形成されたものには、その一端に上記複数の孔と上記一定ピッチを隔てて配置された切り欠き部が形成されている。このような構成によれば、上記複数の孔に上記短軸と上記追加の短軸とを挿通させた状態に加えて、上記複数の孔の１つに上記追加の短軸を挿通させ、上記切り欠きに上記短軸を添わせるという状態で使用することが可能である。したがって、上記１対の押圧部間の距離をさらに大きくすることができる。
【００１４】
本考案の好ましい実施の形態においては、上記各押圧部には、雌ねじが形成されており、上記各把持部には、上記雌ねじに螺合可能な雄ねじが形成された押圧部固定軸が形成されている。このような構成によれば、上記１対の押圧部を外した状態で携帯することが可能である。また、互いに異なる形状とされた複数種類の上記押圧部を用意すれば、マッサージを施す箇所に応じた上記押圧部に付け替えてマッサージを施すことができる。
【００１５】
本考案の好ましい実施の形態においては、上記各押圧部には、雌ねじが形成されており、上記各把持部には、上記雌ねじに螺合可能な雄ねじが形成された押圧部固定軸が形成されており、上記押圧部固定軸の上記雄ねじと、上記短軸の雄ねじとは、同一のサイズとされている。このような構成によれば、上記ナットと上記押圧部とを入れ替えた状態で使用することができる。
【００１６】
本考案の好ましい実施の形態においては、上記１対のナットは、突起をそれぞれ有することにより、追加の１対の押圧部とされている。このような構成によれば、上記１対の押圧部と上記１対の追加の押圧部とを用いて、２種類のマッサージを施すことができる。
【００１７】
本考案の好ましい実施の形態においては、上記１対の把持部には、上記可撓部に連結された状態において上記マッサージ器の両端となる部分に突起が形成されている。このような構成によれば、上記押圧部に加えて、上記突起によって異なる種類のマッサージを施すことができる。
【００１８】
本考案のその他の特徴および利点は、添付図面を参照して以下に行う詳細な説明によって、より明らかとなろう。
【考案を実施するための最良の形態】
【００１９】
以下、本考案の好ましい実施の形態につき、図面を参照して具体的に説明する。
【００２０】
図１ないし図３は、本考案に係るマッサージ器の第１実施形態を示している。本実施形態のマッサージ器Ａ１は、可撓部１、１対の把持部２、１対の押圧部３、および１対のナット４を具備している。マッサージ器Ａ１は、図３に示すように、使用者が１対の把持部２１を掴んだ状態で、可撓部１を曲げ伸ばしすることにより、首筋や肩などをマッサージするために用いられる器具である。図２に示すように、マッサージ器Ａ１は、分解が容易な構成とされている。
【００２１】
可撓部１は、帯状であり、マッサージ器Ａ１の中央に位置している。可撓部１は、たとえばポリプロピレンなどの樹脂製であり、弾性屈曲変形容易とされている。図４に示すように、可撓部１の両端寄りの部分には、３つずつの孔１ａと１つずつの切り欠き１ｂとがそれぞれ形成されている。３つずつの孔１ａは、可撓部１の長手方向において一定ピッチＰで配列されている。１つずつの切り欠き１ｂは、半円形状である。切り欠き１ｂの中心と、切り欠き１ｂと隣り合う孔１ａの中心との距離は、上述したピッチＰとされている。本実施形態においては、可撓部１は、その長さが３００ｍｍ程度、その幅が２２ｍｍ程度とされている。また、孔１ａおよび切り欠き１ｂは、その直径が１０ｍｍ程度、ピッチＰが２５ｍｍ程度とされている。
【００２２】
図１および図２に示すように、１対の把持部２は、略円柱形状であり、マッサージ器Ａ１の両端寄りに位置している。各把持部２は、たとえばポリプロピレンなどの樹脂製である。本実施形態においては、各把持部２は、その長さが２５０ｍｍ程度、円柱状部分の直径が２５ｍｍ程度とされている。
【００２３】
各把持部２の一端寄りには、グリップ２１が形成されている。グリップ２１は、使用者が握るための部分であり、使用者がしっかりと握るのに適した形状とされている。把持部２の他端寄りには、押圧部３を固定するための押圧部固定軸２２が設けられている。図５に示すように、押圧部固定軸２２の先端寄りの部分には、雄ねじ２２ａが形成されている。本実施形態においては、押圧部固定軸２２は、その直径が１６ｍｍ程度、その長さが２４ｍｍ程度とされている。また、雄ねじ２２ａは、外形が９ｍｍ程度、ねじピッチが２ｍｍ程度のねじサイズとされている。
【００２４】
各把持部２のうち押圧部固定軸２２とは反対側に形成された平面には、ねじあり短軸２３とねじなし短軸２４とが設けられている。ねじあり短軸２３およびねじなし短軸２４は、可撓部１に対して各把持部２を取り付けるときの位置決めをするためのものである。ねじあり短軸２３の先端よりの部分には、雄ねじ２３ａが形成されている。本実施形態においては、ねじあり短軸２３は、その直径が９ｍｍ程度、その長さが１４ｍｍ程度とされている。また、雄ねじ２３ａは、外形が９ｍｍ程度、ねじピッチが２ｍｍ程度のねじサイズとされている。ねじなし短軸２４は、ねじあり短軸２３に対して把持部２の長手方向中央寄りに配置されている。ねじあり短軸２３とねじなし短軸２４との中心間距離は、図４に示す３つの孔１ａおよび切り欠き１ｂの配列ピッチＰと同じであり、本実施形態においては、２５ｍｍ程度とされている。ねじなし短軸２４は、ねじあり短軸２３から雄ねじ２３ａが形成された部分を取り除いた形状とされており、その直径が９ｍｍ程度、その長さが４．５ｍｍ程度とされている。
【００２５】
各把持部２のうちマッサージ器Ａ１とされた状態において両端となる部分には、突起２５が形成されている。突起２０は、先端が丸められた円錐形状であり、本実施形態においては、その高さが１０ｍｍ程度、その先端部曲率が５ｍｍ程度とされている。使用者は、マッサージ器Ａ１を二つ折りにした状態、あるいは把持部２を可撓部１から取り外した状態で、突起２５をたとえば肩に反復して押し付けることにより、マッサージを行うことができる。
【００２６】
１対の押圧部３は、マッサージ器Ａ１を用いたマッサージにおいて、使用者の首筋や肩などに押し付けられる部分であり、全体として比較的背が低い円形ドーム状とされている。図７に示すように、押圧部３には、５つの突起３１が形成されている。これらの突起３１は、使用者の首筋や肩の適所を押圧するためのものである。図８に示すように、押圧部３の図中下側には、雌ねじ３ａが形成されている。本実施形態においては、押圧部３は、その外形が５３ｍｍ程度とされている。また、雌ねじ３ａは、その内径が９ｍｍ程度、ねじピッチが２ｍｍ程度のねじサイズとされており、押圧部固定軸２２の雄ねじ２２ａと螺合可能である。
【００２７】
図２に示すように、１対のナット４は、可撓部１に対して１対の把持部２を固定するためのものであり、ハンドル形状とされている。各ナット４には、雌ねじ４ａが形成されている。雌ねじ４ａは、ねじあり短軸２３の雄ねじ２３ａと螺合可能なねじサイズとされているとともに、押圧部３の雌ねじ３ａと同一サイズとされている。
【００２８】
次に、マッサージ器Ａ１の作用について、以下に説明する。
【００２９】
本実施形態によれば、図２に示すように、可撓部１、１対の把持部２、１対の押圧部３、および１対のナット４を、それぞれ別体とした状態で、マッサージ器Ａ１を持ち運ぶことが可能である。これは、マッサージ器Ａ１をたとえば旅行に携帯するのに適している。
【００３０】
図６に示すように、各把持部２は、可撓部１に対して３通りの位置に取り付け可能である。これは、可撓部１に３つの孔１ａが形成されていることに加えて、切り欠き１ｂが複数の孔１ａと等しいピッチＰで形成されているからである。これにより、マッサージ器Ａ１は、図９に示すように、１対の押圧部３の中心間距離Ｄを狭い状態から広い状態まで複数種類の状態で組み立て可能である。したがって、マッサージを施す箇所に応じて１対の押圧部３の位置を適切に調節することができる。本実施形態においては、中心間距離Ｄは、可撓部１に対する１対の把持部２の取り付け位置を別々に設定することにより、最大で５通りの大きさとすることができる。
【００３１】
ねじあり短軸２３およびねじなし短軸２４を用いて可撓部１と把持部２とを結合することにより、可撓部１が把持部２に対して不当に回転することを防止することができる。また、ナット４をねじあり短軸２３に対して締め付けることにより、可撓部１と把持部２とを強固に結合させることができる。
【００３２】
１対の押圧部３の雌ねじ３ａおよび１対のナット４の雌ねじ４ａがそれぞれ同じサイズであることにより、図１ないし図３とは異なり、１対の押圧部３と１対のナット４とを入れ替えて使用することも可能である。
【００３３】
１対の押圧部３では挟み込む動作が困難であるためマッサージを施しにくい箇所であっても、突起２５を用いれば適切にマッサージを施すことができる。また、突起２５を用いたマッサージは、マッサージ器Ａ１として組み立てることは不要であり、分解された状態の把持部２だけで行うことができる。
【００３４】
図１０および図１１は、本考案に係るマッサージ器の他の実施形態を示している。なお、これらの図においては、上記実施形態と類似の要素については、同一の符号を付しており、適宜説明を省略する。
【００３５】
図１０は、本考案に係るマッサージ器の第２実施形態を示している。本実施形態のマッサージ器Ａ２は、１対の押圧部３の形状が上述した第１実施形態と異なっている。１対の押圧部３は、それぞれの中央部が高さ方向に大きく膨出した形状とされている。
【００３６】
本実施形態によれば、上述した実施形態とは異なった範囲および強さでマッサージを施すことが可能である。また、第１実施形態および第２実施形態の説明から明らかなように、本考案に係るマッサージ器は、形状の異なる複数種類の押圧部３を用意すれば、さまざまな感触のマッサージを施すことが可能である。
【００３７】
図１１は、本考案に係るマッサージ器の第３実施形態を示している。本実施形態のマッサージ器Ａ３は、１対のナット４の形状、および１対の押圧部３の中心間距離が上述したいずれの実施形態とも異なっている。
【００３８】
１対のナット４は、上述した第２実施形態における１対の押圧部３と全く同一の形状とされている。これにより、１対のナット４は、１対の押圧部３とは別に身体を押圧可能な追加の押圧部とされている。１対の押圧部３は、その中心間距離が上述したいずれの実施形態よりも広いものとされている。
【００３９】
本実施形態によれば、１対の押圧部３を用いたマッサージに加えて、１対のナットを追加の押圧部として用いたマッサージが可能である。これらのマッサージは、押圧する物体の形状および間隔が異なっている。このため、身体の異なる部分に対して繰り返しマッサージを施すのに適している。これらのマッサージは、マッサージ器Ａ３を分解したり、１対の押圧部３および１対のナット４を分解したり組み立てたりすることなく、いわばリバーシブル状態で行うことができる。
【００４０】
本考案に係るマッサージ器は、上述した実施形態に限定されるものではない。本考案に係るマッサージ器の各部の具体的な構成は、種々に設計変更自在である。
【００４１】
本考案に係るマッサージ器の材質としては、ポリプロピレンのほかに様々な樹脂を用いてもよい。樹脂製であれば、マッサージ器の軽量化に有利であるが、たとえば可撓部の材質として金属を用いたり、把持部の材質として木材を用いたりしてもよい。１対の押圧部３の形状は、上述した実施形態に限定されず、マッサージに適した様々な形状とすることができる。
【００４２】
上述した実施形態においては、可撓部と把持部とを結合させる手段として、可撓部に複数の孔を形成し、把持部にねじあり短軸およびねじなし短軸を形成しているが、これとは反対に、可撓部にねじあり短軸およびねじなし短軸を形成し、把持部に複数の孔を形成してもよい。
【図面の簡単な説明】
【００４３】
【図１】本考案に係るマッサージ器の第１実施形態を示す全体斜視図である。
【図２】本考案に係るマッサージ器の第１実施形態を示す分解斜視図である。
【図３】本考案に係るマッサージ器の第１実施形態を示す全体平面図である。
【図４】本考案に係るマッサージ器の第１実施形態の可撓部を示す平面図である。
【図５】本考案に係るマッサージ器の第１実施形態の把持部を示す側面図である。
【図６】本考案に係るマッサージ器の第１実施形態における可撓部と把持部との結合状態を示す要部平面図である。
【図７】本考案に係るマッサージ器の第１実施形態の押圧部を示す斜視図である。
【図８】図７のＶＩＩＩ−ＶＩＩＩ線に沿う断面図である。
【図９】本考案に係るマッサージ器の第１実施形態の複数種類の結合状態を示す全体斜視図である。
【図１０】本考案に係るマッサージ器の第２実施形態を示す全体平面図である。
【図１１】本考案に係るマッサージ器の第３実施形態を示す全体平面図である。
【図１２】従来のマッサージ器の一例を示す全体斜視図である。
【符号の説明】
【００４４】
Ａ１，Ａ２，Ａ３  マッサージ器
１      可撓部
１ａ    孔
１ｂ    切り欠き
２      把持部
３      押圧部
３ａ    雌ネジ
３１    突起
４      ナット
４ａ    雌ねじ
２１    グリップ
２２    押圧部固定軸
２２ａ  雄ねじ
２３    ねじあり短軸（短軸）
２３ａ  雄ねじ
２４    ねじなし短軸（追加の短軸）
２５    突起
【図１】
0003117992.tif 000003
【図２】
0003117992.tif 000004
【図３】
0003117992.tif 000005
【図４】
0003117992.tif 000006
【図５】
0003117992.tif 000007
【図６】
0003117992.tif 000008
【図７】
0003117992.tif 000009
【図８】
0003117992.tif 000010
【図９】
0003117992.tif 000011
【図１０】
0003117992.tif 000012
【図１１】
0003117992.tif 000013
【図１２】
0003117992.tif 000014